(57)【要約】      （修正有）【課題】電気やガソリン等の燃料・資源を使わずに自然の力を利用した経済的な方法で、誰もが簡単に田んぼに水を補給出来る方法を提供する。【解決手段】吸水ポンプは水鉄砲方式で、シリンダーの後端部には、水の吸水方向及び吐出方向にのみ流水可能な逆止弁をそれぞれ設け、且つ、該吸水側の逆止弁にはフィルター付配ホースを設け、又吐出側の逆止弁には配ホースを設け、且つ、原動機は原動機本体と、原動機本体の回転軸部に円板を軸支し、且つ、円板の回転中心軸から平行に所定寸法程分離させた外周部にピストン作動用軸を設け、又ピストン作動用軸取り付け側の原動機本体の架台支柱下部の片側には、回転中心軸と平行に所定寸法程分離してシリンダー固定用軸を設け、且つ、原動機本体の架台支柱下部の左右両端には、発泡スチロール、又は浮上タンク等のロープ取り付け用固定フック付浮上部材を連結固定して設けたものである。【選択図】図４
0003104809.tif 000002
【実用新案登録請求の範囲】
【請求項１】
田んぼの周辺にある小川や河川等の流水を利用して回転させる水車等の原動機と、吸水ポンプを組み合わせて、吸水ポンプのビストンを前後に作動させて、小川の水を汲み上げて、田んぼ等に水を補給する水ポンプであって、該吸水ポンプ（１）は、主にビストン（１ａ）とシリンダー（１ｂ）とキャップ（１ｃ）等で構成される水鉄砲方式で、且つ、シリンダーの後端部には、水の吸水方向、及び吐出方向にのみ流水可能な逆止弁（１ｄ）をそれぞれ設け、且つ、該吸水側の逆止弁には、フィルター（Ｆ）付配ホース（Ｈ１）を設け、又、吐出側の逆止弁には、配ホースを設け、且つ、該原動機（２）は、原動機本体（２ａ）と、原動機本体の回転軸部に円板（２ｂ）を軸支し、且つ、該円板（２ｂ）の回転中心軸（２ｅ）から平行に所定寸法（Ｌ１）程分離させた外周部にピストン作動用軸（Ｓ１）を設け、又、ピストン作動用軸取り付け側の原動機本体の架台支柱下部の片側には、回転中心軸（２ｅ）と平行に、所定寸法（Ｌ２）程分離してシリンダー固定用軸（Ｓ２）を設け、且つ、該原動機本体（２ａ）の架台支柱下部の左右両端には、発泡スチロール、又は浮上タンク等のロープ取り付け用固定フック（２ｄ）付浮上部材（２ｃ）を連結固定して設けた事を特徴とする流水作動型水ポンプ。
【考案の詳細な説明】
【技術分野】
【０００１】
この考案は、田んぼの周辺にある小川や河川等の流水を利用して回転させる、水車等の原動機と、吸水ポンプを組み合わせて、吸水ポンプのビストンを前後に伸縮作動させて、小川の水を汲み上げて、田んぼ等に水を補給する水ポンプに関するものである。
【背景技術】
【０００２】
従来、給水ポンプには、用途に応じた数多くのポンプが市場に出ており、中でも特に種類が多いのが電動式で大きい物から、小さい物まで様々である。
【０００３】
又、井戸水等の汲み上げに使用される多段式ポンプが特許出願されているので紹介する。（例えば、特許文献１を参照。）
【特許文献１】特開平８−２４７０７８
【０００４】
しかし、上記の様に電動式となると、電源を家屋から延長して引っ張って来るか、又は発電機で電気を起して使用するしか方法がない為、不便であり、不経済である。
【考案の開示】
【考案が解決しようとする課題】
【０００５】
そこで、この考案は、上記課題を解決する為に、電気やガソリン等の燃料・資源を使わずに、自然の力を利用した経済的な方法で、誰もが簡単に田んぼに水を補給出来る方法を開発・提供する事にある。
【課題を解決するための手段】
【０００６】
上記課題を達成する為に、吸水ポンプは主にビストンとシリンダーとキャップ等で構成される水鉄砲方式で、且つ、シリンダーの後端部には、水の吸水方向、及び吐出方向にのみ流水可能な逆止弁をそれぞれ設け、且つ、該吸水側の逆止弁には、フィルター付配ホースを設け、又、吐出側の逆止弁には、配ホースを設け、且つ、該原動機は、原動機本体と、原動機本体の回転軸部に円板を軸支し、且つ、該円板の回転中心軸から平行に所定寸法程分離させた外周部にピストン作動用軸を設け、又、ピストン作動用軸取り付け側の原動機本体の架台支柱下部の片側に、回転中心軸と平行に、所定寸法程分離してシリンダー固定用軸を設け、且つ、該原動機本体の架台支柱下部の左右両端には、発泡スチロール、又は浮上タンク等の固定フック付浮上部材を連結固定して設けたものである。
【考案の効果】
【０００７】
この考案の効果として、小川や河川等の流水を利用して回転させる水車等の原動機と、吸水ポンプを組み合わせて吸水ポンプのビストンを前後に伸縮作動させて、小川の水を汲み上げて田んぼ等に水を補給する為、電気やガソリン等の燃料・資源がいっさい必要無い為、非常に経済的で、しかも誰でも簡単に取り扱いが出来、低騒音な為、環境に優しい等、極めて有益なる効果を奏するものである。
【考案を実施するための最良の形態】
【０００８】
そこで、この考案の最良の形態は、田んぼに必要な水の量を、所定期間内に汲み上げ可能な性能を持つ流水作動型水ポンプにする必要がある。その為には、川の流水速度に適合した、水ポンプと水車等の原動機にマッチングさせる必要がある。
【実施例１】
【０００９】
そこで、この考案の一実施例を図１〜図３に基づいて詳述すると、田んぼの周辺にある小川や、河川等の流水を利用して、回転させる水車等の原動機と、吸水ポンプを組み合わせて、吸水ポンプのビストンを前後に作動させて、小川の水を汲み上げて、田んぼ等に水を補給する水ポンプであって、該吸水ポンプ（１）は、主にビストン（１ａ）と、シリンダー（１ｂ）と、キャップ（１ｃ）等で構成される水鉄砲方式で、且つ、シリンダーの後端部には、水の吸水方向、及び吐出方向にのみ流水可能な逆止弁（１ｄ）をそれぞれ設け、且つ、該吸水側の逆止弁には、フィルター（Ｆ）付配ホース（Ｈ１）を設け、又、吐出側の逆止弁には、配ホース（Ｈ２）を設け、且つ、該原動機（２）は、原動機本体（２ａ）と、原動機本体の回転軸部（２ｅ）に円板（２ｂ）を軸支し、且つ、該円板（２ｂ）の回転中心軸（２ｅ）から平行に、所定寸法（Ｌ１）程分離させた外周部に、ピストン作動用軸（Ｓ１）を設け、又、ピストン作動用軸取付側と同一方向の、原動機本体の架台支柱下部の片側には、回転中心軸（２ｅ）と平行に所定寸法（Ｌ２）程分離して、シリンダー固定用軸（Ｓ２）を設け、且つ、該原動機本体（２ａ）架台支柱下部の左右両端には、発泡スチロール、又は浮上タンク等のロープ取り付け用固定フック（２ｄ）付浮上部材（２ｃ）を、連結固定して設けた事を特徴とする流水作動型水ポンプから構成される。
【００１０】
次に、この考案の取り扱い要領（使用方法）について説明すると、まず、最初に水車と水ポンプを組み合わせ、逆止弁の後部に、吸水及び吐出用の配ホースを取り付け、吐出用ホースの先端部にゴミ侵入防止用のフィルターを取り付ける。組み立てが完了したら流水作動型水ポンプをトラック等で田んぼの周辺にある小川又は河川まで運搬し、クレーンを使用するか、又は人力により川の中に浮かべる。そして、次に図４に示す様に、水車本体に装備された浮力部材（２ｃ）の上部４角に設けられたロープ取り付け用フック（２ｄ）部に、ロープ等の固着部材（Ｒ）でしっかりと固定する。次に、フィルター（Ｆ）付の吸水側ホース（Ｈ１）を川の中に沈下させ、続いて吐出側ホース（Ｈ２）を田んぼの中に入れて固定する。そして、最後に予め固定していた、回転防止用のピン（２ｆ）を抜き取る。すると、川の流水方向に準じて水車が回転し始め、吸水ポンプ（１）が作動し始める。
【００１１】
次に、吸水ポンプ（１）の部品構成と機能を説明すると、主にピストン（１ａ）と、シリンダー（１ｂ）と、キャップ（１ｃ）と、逆止弁（１ｄ）で構成され、ピストン（１ａ）が伸長側に引っ張られると、シリンダー（１ｂ）の後部に取り付けた逆止弁（１ｄ）の吸水側ポートから水が入り始め、シリンダーの後室部に貯蓄されていく。又、ピストンが伸びきって、後退側に切り替わると、シリンダー後室部に貯まった水は、逆止弁（１ｄ）の吐出側ポートから排出される。又、逆止弁（１ｄ）の吸水側、及び吐出側には、それぞれ配ホース（Ｈ１）（Ｈ２）が取り付けられ、特に吸水側ホース（Ｈ１）の先端部には、ゴミ侵入防止用のフィルター（Ｆ）が取り付けられている。又、キャップ（１ｃ）は、ピストンのガイドを兼ねており、ピストンとシリンダーの中間部全周には、空気流通用の小孔（１ｃ’）が数箇所設けられ、ピストンがスムーズに伸縮移動出来る様に成っている。
【００１２】
次に、水車等の原動機（２）の部品構成と機能を説明すると、主に原動機本体（２ａ）と、円板（２ｂ）と、吸水ポンプを伸縮作動させる為のピストン作動用軸（Ｓ１）と、シリンダー固定用軸（Ｓ２）と、本体を常時浮上させて安定した回転作動させる為の、左右２ヶ所を連結固着した浮上部材（２ｃ）と、浮上部材の４角をロープ等の固着部材（Ｒ）で固定する為のロープ取り付け用フック（２ｄ）で構成され、機能的には図３に示す様な作動手順で、流水の力により回転する水車の回転軸部が回転すると、回転軸部に軸支した円板（２ｂ）が回転し、円板が回転すると円板の外周部に取り付けられたピストン作動用軸（Ｓ１）が回転軸部（２ｅ）を中心にして公転する。又、原動機本体（２ａ）は、図４に示す様に、四角をロープ等の固着部材（Ｒ）により固定して流水力による放流を阻止する。又、給水作業を行わない時は、水車が回転しない様に、回転防止用のピン（２ｆ）を差し込んで固定させる。又、上記（０００９）で説明した、回転中心軸（２ｅ）とピストン移動用軸（Ｓ１）間の所定寸法（Ｌ１）は、ピストンのストローク長（伸縮長）の１／２に相当する。
【００１３】
従って、吸水ポンプ（１）のピストン（１ａ）は、図３に示す様な作動手順で、円板（２ｂ）が回転する事で伸縮し、小川や河川等の水（Ｗ）を吸水しながら、田んぼ（ＲＰ）等に水（Ｗ）を補給する。又、一旦排出された水（Ｗ）は逆止弁（１ｄ）を設ける事で、逆流する心配はない。
【００１４】
又、田んぼの水が満杯に成り吸水の必要が無くなったら、吸水側のホースを小川又は河川から取り出し、原動機本体（２ａ）の回転防止用のピン（２ｆ）を、固定孔部を揃えて差し込み、固定させる。
【実施例２】
【００１５】
上記、実施例１では浮力部材付水車を利用した流水作動型水ポンプを紹介したが、その他の実施例として、原動機を多重スクリュー方式やプロペラ方式のものに変更し、又、吸水ポンプをベーンポンプやギアポンプ等に変更したものとを色々な組み合わせた他の方法が考えられる。但し、これらはあくまでも環境条件や品質や性能やコスト等を無視した場合であり、実施するにはそれなりの試作品の製造や実験テストが必要となる。
【産業上の利用可能性】
【００１６】
この考案の流水作動型水ポンプは、小川や河川等の流水を利用して回転させる水車等の原動機と、吸水ポンプを組み合わせて吸水ポンプのピストンを前後に作動させて、小川や河川等の水を汲み上げて田んぼ等に水を補給する為、非常に経済的で、しかも誰でも簡単に取り扱いが出来、環境に優しい為、広範囲の市場に寄与する点で産業上の利用可能性を有する。
【図面の簡単な説明】
【００１７】
【図１】この考案の一実施例を示し、（Ａ）は吸水ポンプの正面視断面図で、（Ｂ）は（Ａ）のａ部（逆止弁部）拡大詳細図である。
【図２】この考案の一実施例を示し、浮上部材を装備した水車（原動機）の斜視図である。
【図３】この考案の一実施例を示し、流水作動型水ポンプの作動手順と作動原理図である。
【図４】この考案の使用例を示し、斜視図である。
【符号の説明】
【００１８】
１      吸水ポンプ
１ａ    ピストン
１ｂ    シリンダー
１ｃ    キャップ
１ｃ’  空気流通用小孔
１ｄ    逆止弁
２      水車等の原動機
２ａ    原動機本体
２ｂ    円板
２ｃ    浮上部材
２ｄ    固定フック
２ｅ    回転中心軸
２ｆ    回転防止用ピン
Ｆ      ゴミ侵入防止用フィルター
Ｈ１    吸水側ホース
Ｈ２    吐出側ホース
Ｌ１    所定寸法（回転中心軸〜ピストン作動用軸までの寸法）
Ｌ２    所定寸法（回転中心軸〜シリンダー固定用軸までの寸法）
Ｒ      ロープ等の固着部材
ＲＰ    田んぼ
Ｓ１    ピストン作動用軸
Ｓ２    シリンダー固定用軸
Ｗ      水
【図１】
0003104809.tif 000003
【図２】
0003104809.tif 000004
【図３】
0003104809.tif 000005
【図４】
0003104809.tif 000006
【手続補正書】
【提出日】平成16年4月23日(2004.4.23)
【手続補正１】
【補正対象書類名】実用新案登録請求の範囲
【補正対象項目名】請求項１
【補正方法】変更
【補正の内容】
【請求項１】
田んぼの周辺にある小川や河川等の流水を利用して回転させる水車等の原動機と、吸水ポンプを組み合わせて、吸水ポンプのピストンを前後に作動させて、小川の水を汲み上げて、田んぼ等に水を補給する水ポンプであって、該吸水ポンプ（１）は、主にピストン（１ａ）とシリンダー（１ｂ）とキャップ（１ｃ）等で構成される水鉄砲方式で、且つ、シリンダーの後端部には、水の吸水方向、及び吐出方向にのみ流水可能な逆止弁（１ｄ）をそれぞれ設け、且つ、該吸水側の逆止弁には、フィルター（Ｆ）付配ホース（Ｈ１）を設け、又、吐出側の逆止弁には、配ホースを設け、且つ、該原動機（２）は、原動機本体（２ａ）と、原動機本体の回転軸部に円板（２ｂ）を軸支し、且つ、該円板（２ｂ）の回転中心軸（２ｅ）から平行に所定寸法（Ｌ１）程分離させた外周部にピストン作動用軸（Ｓ１）を設け、又、ピストン作動用軸取り付け側の原動機本体の架台支柱下部の片側には、回転中心軸（２ｅ）と平行に、所定寸法（Ｌ２）程分離してシリンダー固定用軸（Ｓ２）を設け、且つ、該原動機本体（２ａ）の架台支柱下部の左右両端には、発泡スチロール、又は浮上タンク等のロープ取り付け用固定フック（２ｄ）付浮上部材（２ｃ）を連結固定して設けた事を特徴とする流水作動型水ポンプ。
【手続補正２】
【補正対象書類名】明細書
【補正対象項目名】０００１
【補正方法】変更
【補正の内容】
【０００１】
この考案は、田んぼの周辺にある小川や河川等の流水を利用して回転させる、水車等の原動機と、吸水ポンプを組み合わせて、吸水ポンプのピストンを前後に伸縮作動させて、小川の水を汲み上げて、田んぼ等に水を補給する水ポンプに関するものである。
【手続補正３】
【補正対象書類名】明細書
【補正対象項目名】０００６
【補正方法】変更
【補正の内容】
【０００６】
上記課題を達成する為に、吸水ポンプは主にピストンとシリンダーとキャップ等で構成される水鉄砲方式で、且つ、シリンダーの後端部には、水の吸水方向、及び吐出方向にのみ流水可能な逆止弁をそれぞれ設け、且つ、該吸水側の逆止弁には、フィルター付配ホースを設け、又、吐出側の逆止弁には、配ホースを設け、且つ、該原動機は、原動機本体と、原動機本体の回転軸部に円板を軸支し、且つ、該円板の回転中心軸から平行に所定寸法程分離させた外周部にピストン作動用軸を設け、又、ピストン作動用軸取り付け側の原動機本体の架台支柱下部の片側に、回転中心軸と平行に、所定寸法程分離してシリンダー固定用軸を設け、且つ、該原動機本体の架台支柱下部の左右両端には、発泡スチロール、又は浮上タンク等の固定フック付浮上部材を連結固定して設けたものである。
【手続補正４】
【補正対象書類名】明細書
【補正対象項目名】０００７
【補正方法】変更
【補正の内容】
【０００７】
この考案の効果として、小川や河川等の流水を利用して回転させる水車等の原動機と、吸水ポンプを組み合わせて吸水ポンプのピストンを前後に伸縮作動させて、小川の水を汲み上げて田んぼ等に水を補給する為、電気やガソリン等の燃料・資源がいっさい必要無い為、非常に経済的で、しかも誰でも簡単に取り扱いが出来、低騒音な為、環境に優しい等、極めて有益なる効果を奏するものである。
【手続補正５】
【補正対象書類名】明細書
【補正対象項目名】０００９
【補正方法】変更
【補正の内容】
【０００９】
そこで、この考案の一実施例を図１〜図３に基づいて詳述すると、田んぼの周辺にある小川や、河川等の流水を利用して、回転させる水車等の原動機と、吸水ポンプを組み合わせて、吸水ポンプのピストンを前後に作動させて、小川の水を汲み上げて、田んぼ等に水を補給する水ポンプであって、該吸水ポンプ（１）は、主にピストン（１ａ）と、シリンダー（１ｂ）と、キャップ（１ｃ）等で構成される水鉄砲方式で、且つ、シリンダーの後端部には、水の吸水方向、及び吐出方向にのみ流水可能な逆止弁（１ｄ）をそれぞれ設け、且つ、該吸水側の逆止弁には、フィルター（Ｆ）付配ホース（Ｈ１）を設け、又、吐出側の逆止弁には、配ホース（Ｈ２）を設け、且つ、該原動機（２）は、原動機本体（２ａ）と、原動機本体の回転軸部（２ｅ）に円板（２ｂ）を軸支し、且つ、該円板（２ｂ）の回転中心軸（２ｅ）から平行に、所定寸法（Ｌ１）程分離させた外周部に、ピストン作動用軸（Ｓ１）を設け、又、ピストン作動用軸取付側と同一方向の、原動機本体の架台支柱下部の片側には、回転中心軸（２ｅ）と平行に所定寸法（Ｌ２）程分離して、シリンダー固定用軸（Ｓ２）を設け、且つ、該原動機本体（２ａ）架台支柱下部の左右両端には、発泡スチロール、又は浮上タンク等のロープ取り付け用固定フック（２ｄ）付浮上部材（２ｃ）を、連結固定して設けた事を特徴とする流水作動型水ポンプから構成される。